(57)【要約】【課題】本発明は加湿機能付空気清浄装置に関するもので、通風抵抗を小さくし加湿空気清浄空気の風量を多くすることができるものである。【解決手段】そしてこの目的を達成するために本発明は、吸気口１と排気口２を有する本体ケース３内の空気清浄手段と加湿手段とを備え、加湿手段は加湿フィルター６と、加湿フィルター枠７と、水槽８と、水タンク４と、回転手段とから形成され、加湿フィルター枠７は外周部に給水部９を備え、給水部９と加湿フィルター６の一部が水に常時浸るように加湿フィルター枠７を設け、本体ケース３内に吸気した空気を空気清浄手段、加湿フィルター６を順次介して排気口２へと送風する送風手段１１を設け、空気清浄手段と送風手段１１とを繋ぐバイパス風路１２を設けると共に、加湿フィルター６とバイパス風路１２を送風手段１１の吸込口１３に対向した位置に備えたものである。【選択図】図２
2010121787.tif 000002
【特許請求の範囲】
【請求項１】
吸気口と排気口を有する本体ケースと、この本体ケース内に設けられた空気清浄手段と加湿手段とを備え、この加湿手段は円盤状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記加湿フィルター枠は外周部に給水部を備え、この給水部と前記加湿フィルターの一部が前記水槽に供給された水に常時浸るように前記加湿フィルター枠を設けると共に、前記吸気口から前記本体ケース内に吸気した空気を前記空気清浄手段、前記加湿フィルターを順次介して前記排気口へと送風する送風手段を設け、この送風手段を前記加湿フィルターの下流側に備え、前記空気清浄手段と前記送風手段とを繋ぐバイパス風路を設けると共に、前記加湿フィルターと前記バイパス風路を前記送風手段の吸込口に対向した位置に備えた加湿機能付空気清浄装置。
【請求項２】
空気清浄手段は、前記送風手段の前記吸込口に対向した位置に設けられ、前記加湿フィルターより面積が大きく、前記加湿手段の前記給水部の上端より突出し、前記空気清浄手段から前記加湿フィルターへの風路の断面積は前記空気清浄手段の面積から前記加湿フィルターの面積に徐々に狭くなる請求項１記載の加湿機能付空気清浄装置。
【請求項３】
バイパス風路は、前記加湿手段の前記給水部の上部に設けた請求項１または２に記載の加湿機能付空気清浄装置。
【請求項４】
送風手段の前記吸込口の中心は、前記加湿手段の前記回転軸より上部に位置する請求項１〜３のいずれかに記載の加湿機能付空気清浄装置。
【請求項５】
送風手段の前記吸込口の中心は、前記給水部が最上点付近から回転する回転方向の下流側に位置する請求項１〜４のいずれかに記載の加湿機能付空気清浄装置。
【請求項６】
送風手段の吹出口から排気口へ広がるように、前記送風手段の前記吸込口側の吹出面が前記空気清浄手段側に傾斜面を有する請求項１〜５のいずれかに記載の加湿機能付空気清浄装置。
【請求項７】
送風手段の前記吹出面の前記傾斜面が、湾曲形状である請求項６記載の加湿機能付空気清浄装置。
【請求項８】
送風手段の前記吹出口に回動可能に設けた風向板を備えた請求項１〜７のいずれかに記載の加湿機能付空気清浄装置。
【請求項９】
風向板は前記送風手段の電動機固定側の吹出面側に回動の中心を有する請求項８記載の加湿機能付空気清浄装置。
【発明の詳細な説明】
【技術分野】
【０００１】
本発明は、空気を浄化しながら加湿することのできる加湿機能付空気清浄機に関する。
【背景技術】
【０００２】
従来のこの種の加湿機能付空気清浄装置の構成は以下のようになっていた。
【０００３】
すなわち、吸気口と排気口を有する本体ケースと、この本体ケース内で、前記吸気口から前記排気口に送風される送風路に空気清浄手段を設け、この空気清浄手段の前記送風路下流に加湿手段を設け、前記空気清浄手段と前記加湿手段との間に送風手段を設けた構成となっていた。
【特許文献１】特開２００６−１９７９１９号公報
【発明の開示】
【発明が解決しようとする課題】
【０００４】
上記従来例における課題は、加湿空気清浄風量が少ないということであった。
【０００５】
すなわち、従来の物においては、送風手段によって吸気口から吸込まれた室内空気を、空気清浄手段および加湿手段を介し、排気口より室内に送風される。このように、加湿および空気清浄処理された加湿空気清浄空気が供給されるが、加湿手段は円筒形状の加湿フィルターで構成されているので、加湿手段の送風された空気は、まず加湿フィルターの外側から円筒形状の加湿フィルター内部に流れ、次に円筒形状の加湿フィルター内部から加湿フィルターの外側へ流れる。つまり、加湿フィルターを２回通過するので加湿手段での通風抵抗が大きくなる。
【０００６】
また、加湿手段の上部に吸気口、送風手段、および排気口が位置するので、加湿手段の上部から送風された空気を円筒形状の加湿フィルター内部で方向転換し、円筒形状の加湿フィルター内部から上部の排気口に送風される。すなわち、加湿手段で空気の流れを約１８０度方向転換することとなり、通風抵抗が大きくなる。
【０００７】
このように、通風抵抗が大きいので加湿空気清浄空気の風量が小さくなる。
【０００８】
そこで本発明は、通風抵抗を小さくし加湿空気清浄空気の風量を多くすることを目的とするものである。
【課題を解決するための手段】
【０００９】
そしてこの目的を達成するために本発明は、吸気口と排気口を有する本体ケースと、この本体ケース内に設けられた空気清浄手段と加湿手段とを備え、この加湿手段は円盤状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記加湿フィルター枠は外周部に給水部を備え、この給水部と前記加湿フィルターの一部が前記水槽に供給された水に常時浸るように前記加湿フィルター枠を設けると共に、前記吸気口から前記本体ケース内に吸気した空気を前記空気清浄手段、前記加湿フィルターを順次介して前記排気口へと送風する送風手段を設け、この送風手段を前記加湿フィルターの下流側に備え、前記空気清浄手段と前記送風手段とを繋ぐバイパス風路を設けると共に、前記加湿フィルターと前記バイパス風路を前記送風手段の吸込口に対向した位置に備えたものであり、これにより、初期の目的を達成するものである。
【発明の効果】
【００１０】
以上のように本発明は、吸気口と排気口を有する本体ケースと、この本体ケース内に設けられた空気清浄手段と加湿手段とを備え、この加湿手段は円盤状の加湿フィルターと、この加湿フィルターを固定し回転自在に設けられた加湿フィルター枠と、前記加湿フィルターの下部に設けた略椀状の水槽と、この水槽に一定量の水を供給する水タンクと、前記加湿フィルター枠を回転させる回転手段とから形成され、前記加湿フィルター枠は外周部に給水部を備え、この給水部と前記加湿フィルターの一部が前記水槽に供給された水に常時浸るように前記加湿フィルター枠を設けると共に、前記吸気口から前記本体ケース内に吸気した空気を前記空気清浄手段、前記加湿フィルターを順次介して前記排気口へと送風する送風手段を設け、この送風手段を前記加湿フィルターの下流側に備え、前記空気清浄手段と前記送風手段とを繋ぐバイパス風路を設けると共に、前記加湿フィルターと前記バイパス風路を前記送風手段の吸込口に対向した位置に備え、通風抵抗を小さくし加湿空気清浄空気の風量を多くすることができるものである。
【００１１】
すなわち、加湿手段である円盤状の加湿フィルターの下流側に送風手段を備え、空気清浄手段と送風手段とを繋ぐバイパス風路を設けると共に、加湿フィルターとバイパス風路を送風手段の吸込口に対向した位置に備えたので、吸気口から吸気された空気は空気清浄手段を介し、加湿フィルターを通過し送風手段に吸い込まれる空気と、バイパス風路を通過し送風手段により吸い込まれる空気との２経路の空気が送風手段により排気口から室内に排気される。結果として、加湿フィルターを通過する回数は１回と半減すると共に、加湿手段である加湿フィルターで空気の流れは方向転換せずに送風することとなる。更に、加湿フィルターを介さないバイパス風路を設けたので、通風抵抗は小さくなる。
【００１２】
これらの結果により、加湿空気清浄空気の風量を多くすることができるものである。
【発明を実施するための最良の形態】
【００１３】
以下、本実施形態を添付図面を用いて説明する。
【００１４】
（実施の形態１）
図１、図２、図３および図４に示すように、本実施形態の加湿機能付空気清浄装置は、吸気口１と排気口２を有する縦長箱型の本体ケース３と、この本体ケース３内に設けられた空気清浄手段と加湿手段とを備えている。本体ケース３の側面には吸気口１を設け、本体ケース３の天面には排気口２を設けている。
【００１５】
空気清浄手段は蛇腹状に折られた濾材を額縁状の枠に固定された空気清浄フィルター５であり、吸気口１の近傍に設けられている。本体ケース３の吸気口１から吸い込まれた空気はまず、空気清浄フィルター５に流れ込むこととなる。
【００１６】
加湿手段は放湿部分と水供給部分と、この放湿部分を回転させる回転手段とから形成されている。
【００１７】
放湿部分は円盤状の加湿フィルター６と、この加湿フィルター６を固定し回転自在に設けられた加湿フィルター枠７とから形成している。加湿フィルター枠７は外周部に給水部９を備えている。
【００１８】
加湿フィルター６は水を保持する性質を持っており、水を保持した状態で加湿フィルター６に空気が通過することにより、水が気化し、高湿度の空気を排気口２から部屋中に吐出するものである。
【００１９】
加湿フィルター枠７は、加湿フィルター６を挟み込んで固定するものである。また、加湿フィルター枠７は、水供給部分と放湿部分とを備えている。
【００２０】
水供給部分は、加湿フィルター６の下部には略椀状の水槽８を設け、この水槽８に一定の水を供給する水タンク４を備えている。放湿部分である加湿フィルター枠７は外周部に給水部９を備え、この給水部９と加湿フィルター６の一部は水槽８に供給された水に常時浸るように加湿フィルター枠７を設置し、給水部９と加湿フィルター６を回転させる回転手段である電動機１０を設けている。
【００２１】
送風手段１１によって吸気口１から本体ケース３内に吸気した空気は空気清浄手段である空気清浄フィルター５、放湿部分である加湿フィルター６を順次介して排気口２へと送風される。この送風手段１１を加湿フィルター６の下流側に備えたものである。
【００２２】
このような構成における空気清浄および、加湿動作について説明する。水タンク４より水槽に常時に一定の水位となるように水が供給される。この水に放湿部分である給水部９と加湿フィルター６の一部が常時浸った状態となる。ここで回転手段である電動機１０によって、給水部９と加湿フィルター６が回転し、給水部９によってくみ上げられた水が頂上付近で滴り落ち、加湿フィルター６を湿らせるという動作となっている。
【００２３】
本実施形態における特徴は、空気清浄手段と送風手段１１とを繋ぐバイパス風路１２を設けると共に、加湿フィルター６とバイパス風路１２を送風手段１１の吸込口１３に対向した位置に備えたことである。すなわち、バイパス風路１２は空気清浄手段と送風手段１１とを加湿手段である加湿フィルター６を介さずに繋ぐものであり、吸気口１から本体ケース３内に吸気した空気は空気清浄手段である空気清浄フィルター５を通り、加湿手段である加湿フィルター６を介して送風手段１１に送風される空気清浄加湿風路とは別に、空気清浄フィルター５からバイパス風路１２を介して送風手段１１に送風される空気清浄風路を備えたものである。
【００２４】
このように、加湿手段である円盤状の加湿フィルター６の下流側に送風手段１１を備え、空気清浄フィルター５と送風手段１１とを繋ぐバイパス風路１２を設けると共に、加湿フィルター６とバイパス風路１２を送風手段１１の吸込口１３に対向した位置に備えたので、吸気口１から吸気された空気は空気清浄フィルター５を介し、加湿フィルター６を通過し送風手段１１に吸い込まれる空気と、バイパス風路１２を通過し送風手段１１により吸い込まれる空気との２経路の空気が送風手段１１により排気口２から室内に排気される。
【００２５】
結果として、加湿フィルター６を通過する回数は１回となると共に、加湿手段である加湿フィルター６で空気の流れは方向転換せずに送風することとなる。つまり、吸気口１から吸気され空気清浄フィルター５を介し加湿フィルター６を通過し送風手段１１に吸い込まれる空気清浄加湿風路における加湿フィルター６での空気の流れが一直線となり、風路による通風抵抗を小さくすることができる。更に、加湿手段を介さないバイパス風路１２を設けたので、空気清浄風路は加湿手段である加湿フィルター６の通風抵抗がなくなり、代わりにバイパス風路１２の通風抵抗となるので、通風抵抗は小さくなる。これらの結果により、加湿空気清浄空気の風量を多くすることができるものである。
【００２６】
また、空気清浄手段である空気清浄フィルター５は送風手段１１の吸込口１３に対向した位置に設けられ、加湿フィルター６より面積が大きく、加湿手段の給水部９の上端より突出し、空気清浄手段から加湿フィルター６への風路の断面積は空気清浄手段の面積から加湿フィルターの面積に徐々に狭くなるものである。すなわち、空気清浄フィルター５の面積は加湿フィルター６の面積より大きく、その大きい部分は加湿手段の給水部９より上端より突出しているので、空気清浄フィルター５から加湿フィルター６への風路は、空気清浄フィルター５面積から徐々に加湿フィルター６面積へ風路が狭くなり、その狭くなる部分が加湿手段の給水部９の上端より突出している空気清浄フィルター部分である。
【００２７】
このように、空気清浄フィルター５の面積は加湿フィルター６の面積より大きいので、空気清浄フィルター５の通風抵抗は小さいものであると共に、空気清浄フィルター５から加湿フィルター６への風路は空気清浄フィルター５面積から徐々に加湿フィルター６面積へ風路が狭くなるので、その風路で、急激な風路断面積の変化が無いので、通風抵抗は小さくなり、風量を多くすることができるものである。
【００２８】
また、バイパス風路１２は加湿手段の給水部９の上部に設けたものである。すなわち、バイパス風路１２には、主に加湿フィルター６の面積より大きく、加湿手段の給水部９より上端より突出している空気清浄フィルター５部分を通過した空気が、空気清浄フィルター５から加湿フィルター６への風路は空気清浄フィルター５面積から徐々に加湿フィルター６面積へ狭くなる風路の風路上部に沿って流れ込むので、通風抵抗は小さくなり、加湿空気清浄空気の風量を多くすることができるものである。
【００２９】
また、送風手段１１の吸込口１３の中心は加湿手段の回転軸より上部に位置するものである。すなわち、吸気口１から吸気され空気清浄フィルター５を介しバイパス風路１２を通過し送風手段１１に吸い込まれる空気清浄風路の空気の流れもほぼ一直線となり、風路による通風抵抗を小さくすることができるので、加湿空気清浄空気の風量を多くすることができるものである。
【００３０】
また、送風手段１１の吸込口１３の中心は給水部９が最上点付近から回転する回転方向の下流側に位置するものである。ここで、給水部９が給水する最上点と回転軸の中心とを結ぶ垂直面で給水部９が最上点付近から回転する回転方向の下流側面と上流側面とに加湿フィルター６を分けると、給水部９が最上点付近で加湿フィルター６へ給水し、この給水によって加湿フィルター６に水が含まれるので、給水部９が最上点付近から回転する回転方向の下流側面の加湿フィルター６の方が上流側面の加湿フィルター６に比べ、多くの水が含まれることとなり、送風手段１１の吸込口１３の中心は給水部９が最上点付近から回転する回転方向の下流側に位置することによって、上流側面の加湿フィルター６に比べ多くの空気が下流側面の加湿フィルター６に流れるので、つまり、多くの水が含まれる加湿フィルター６部分に、多くの空気が流れることにより、加湿性能が向上する。
【００３１】
また、送風手段１１の吹出口１５から排気口２へ広がるように、送風手段１１の吸込口１３側の吹出面が空気清浄手段側に傾斜面１４を有するもので、すなわち、送風手段１１の吹出口１５から排気口２へ徐々に広がるように、送風手段１１の吸込口１３側の吹出面が空気清浄手段側に傾斜する傾斜面１４をそなえているので、送風手段１１の吹出口１５から吹出された空気が排気口２へ徐々に広がる風路を介して排気口２から室内に排気されるので、その風路での通風抵抗は小さくなり、更に排気口２が大きく出来るので、排気口での通風抵抗も小さくなり加湿空気清浄空気の風量を多くすることができるものである。
【００３２】
また、送風手段１１の吹出面の傾斜面１４が湾曲形状であるもので、すなわち、送風手段１１の吹出面の傾斜面１４が送風手段１１の吹出口１５から吹出された空気が排気口２へ徐々に広がる風路内に凸状に湾曲した湾曲形状なので、この湾曲形状の傾斜面に沿って空気が吹出されるので、つまり、本体ケース３の前面方向に吹出すので、吹出す範囲が広くなる。
【００３３】
また、排気口２に回動可能に設けた風向板１６を備えたので、容易に風向を調節することが出来る。
【００３４】
また、風向板１６は送風手段１１の電動機１０固定側の吹出面側に回動の中心を有するので、本体ケース３の前面方向に容易に吹出すことが出来るので、本体ケース３を部屋の壁近くに置いた場合、室内中央方向に吹出すことが出来る。
【産業上の利用可能性】
【００３５】
以上のように本発明は、吸気口と排気口を有する本体ケースと、この本体ケース内に設けられた空気清浄手段と加湿手段とを備え、この加湿手段は円盤状の加湿フィルターと、この加湿フィルターを固定し回転自在に設けられた加湿フィルター枠と、前記加湿フィルターの下部に設けた略椀状の水槽と、この水槽に一定量の水を供給する水タンク４と、前記加湿フィルター枠を回転させる回転手段とから形成され、前記加湿フィルター枠は外周部に給水部９を備え、この給水部９と前記加湿フィルターの一部が前記水槽に供給された水に常時浸るように前記加湿フィルター枠を設けると共に、前記吸気口から前記本体ケース内に吸気した空気を前記空気清浄手段、前記加湿フィルターを順次介して前記排気口へと送風する送風手段を設け、この送風手段を前記加湿フィルターの下流側に備え、前記空気清浄手段と前記送風手段とを繋ぐバイパス風路を設けると共に、前記加湿フィルターと前記バイパス風路を前記送風手段の吸込口に対向した位置に備えたものであり、通風抵抗を小さくし加湿空気清浄空気の風量を多くすることができるものである。
【００３６】
すなわち、加湿手段は円盤状の加湿フィルターで、この加湿フィルターの下流側に送風手段を備え、空気清浄手段と送風手段とを繋ぐバイパス風路を設けると共に、加湿フィルターとバイパス風路を送風手段の吸込口に対向した位置に備えたので、吸気口から吸気された空気は空気清浄手段を介し、加湿フィルターを通過し送風手段に吸い込まれる空気と、バイパス風路を通過し送風手段により吸い込まれる空気との２経路の空気が送風手段により排気口から室内に排気される。結果として、加湿フィルターを通過する回数は１回と半減すると共に、加湿手段で空気の流れは方向転換せずに送風することとなる。更に、加湿手段を介さないバイパス風路を設けたので、通風抵抗は小さくなる。
【００３７】
これらの結果により、加湿空気清浄空気の風量を多くすることができるものである。
【００３８】
従って、家庭用や事務所用などの、加湿機能付空気清浄装置として活用が期待されるものである。
【図面の簡単な説明】
【００３９】
【図１】本発明の実施の形態１の加湿機能付空気清浄装置の斜視図
【図２】本発明の実施の形態１の加湿機能付空気清浄装置の断面図
【図３】本発明の実施の形態１の加湿手段の正面図
【図４】本発明の実施の形態１の加湿手段の断面図
【符号の説明】
【００４０】
１    吸気口
２    排気口
３    本体ケース
４    水タンク
５    空気清浄フィルター
６    加湿フィルター
７    加湿フィルター枠
８    水槽
９    給水部
１０  電動機
１１  送風手段
１２  バイパス風路
１３  吸込口
１４  傾斜面
１５  吹出口
１６  風向板
【図１】
2010121787.tif 000003
【図２】
2010121787.tif 000004
【図３】
2010121787.tif 000005
【図４】
2010121787.tif 000006